(57)【要約】【課題】コルゲートチューブと同様に柔軟性があり、コルゲートチューブを切れ目の両側へ拡げる煩雑な作業を不要とし、電線の外径に応じて用意されるべき種類を少なくでき、電線の一部分のみを露出させる場合にも容易に対応できる電線保護具及びワイヤハーネスを提供すること。【解決手段】ワイヤハーネス１の電線保護具１０は、電線９の両側から組み合わされることにより筒を形成する第一カバー部材１１及び第二カバー部材１２を備える。第一カバー部材１１は、蛇腹構造を有することによって長手方向における柔軟性を有し、内側に電線９が挿入される溝を形成する半筒状の部材である。第一カバー部材１１の両側方の縁部に、内側に開口した溝１５１を有するフレーム部１５が形成されている。第二カバー部材１２は、両側方の縁部に、外側に張り出しており、フレーム部１５の溝１５１に嵌め入れられるフランジ部１６が形成されている。【選択図】図１
2012085442.tif 000002
【特許請求の範囲】
【請求項１】
電線の周囲を覆う筒を形成する電線保護具であって、
蛇腹構造を有することによって長手方向における柔軟性を有し、内側に前記電線が挿入される溝を形成する半筒状の部材であり、両側方の縁部に、内側へ開口し長手方向に沿った溝が形成された部分であるフレーム部、及び外側へ張り出し長手方向に沿った板状に形成され前記フレーム部の溝に嵌め入れられる部分であるフランジ部のうちの一方が形成された第一カバー部材と、
前記第一カバー部材と組み合わされることにより電線の周囲を覆う筒を形成する部材であり、両側方の縁部に、前記フレーム部及び前記フランジ部のうちの他方が形成された第二カバー部材と、を備えることを特徴とする電線保護具。
【請求項２】
１つの前記第一カバー部材と、
前記第一カバー部材に対してその長手方向における一部を除く部分に組み合わされる、前記第一カバー部材よりも短い１つ又は複数の前記第二カバー部材と、を備える請求項１に記載の電線保護具。
【請求項３】
前記第二カバー部材は、蛇腹構造を有することによって長手方向における柔軟性を有し、内側に前記電線が挿入される溝を形成する半筒状の部材である、請求項１又は請求項２に記載の電線保護具。
【請求項４】
前記第二カバー部材は、前記第一カバー部材における前記電線が挿入される溝を塞ぐ板状の基部と、該基部の両側方の縁部に連なる前記フレーム部又は前記フランジ部と、が形成された部材である、請求項１又は請求項２に記載の電線保護具。
【請求項５】
前記第二カバー部材の前記基部は、長手方向において前記第一カバー部材に対向する内側面又はその反対の外側面の側へ曲がった板状に形成されている、請求項４に記載の電線保護具。
【請求項６】
前記第二カバー部材の前記基部における前記第一カバー部材に対向しない外側面に固定され、所定の支持部に取り付けられる取付具をさらに備える、請求項４又は請求項５に記載の電線保護具。
【請求項７】
電線と該電線の周囲を覆う筒を形成する電線保護具とを備えたワイヤハーネスであって、
前記電線保護具は、
蛇腹構造を有することによって長手方向における柔軟性を有し、内側に前記電線が挿入される溝を形成する半筒状の部材であり、両側方の縁部に、内側へ開口し長手方向に沿った溝が形成された部分であるフレーム部、及び外側へ張り出し長手方向に沿った板状に形成され前記フレーム部の溝に嵌め入れられる部分であるフランジ部のうちの一方が形成された第一カバー部材と、
前記第一カバー部材と組み合わされることにより電線の周囲を覆う筒を形成する部材であり、両側方の縁部に、前記フレーム部及び前記フランジ部のうちの他方が形成された第二カバー部材と、を備えることを特徴とするワイヤハーネス。
【発明の詳細な説明】
【技術分野】
【０００１】
本発明は、電線の周囲を覆う電線保護具及びそれを備えたワイヤハーネスに関する。
【背景技術】
【０００２】
従来、自動車などの車両に搭載されるワイヤハーネスは、複数の電線の周囲を覆う電線保護具としてコルゲートチューブを備えることが多い。コルゲートチューブは、蛇腹構造を有することによって長手方向における柔軟性を有する筒状の部材である。電線は、コルゲートチューブで覆われることにより、振動又は可動部の動きに応じて周囲の部材との接触することがなくなり、耐久性が高まる。
【０００３】
また、コルゲートチューブは、通常、その長手方向全体に渡る一連の切れ目が形成されている。コルゲートチューブは、所定の治具を用いて切れ目の両側へ拡げられることによって長手方向全体に渡る隙間が形成され、電線は、その隙間からコルゲートチューブ内へ挿入される。また、電線が挿入されたコルゲートチューブは、電線が切れ目から外側へはみ出さないように、粘着テープで巻かれることによって筒状に保持される。
【０００４】
ところで、電線とコルゲートチューブとの隙間が大き過ぎると、ワイヤハーネスの配線に必要なスペースが無駄に大きくなり、さらに、コルゲートチューブ内で電線が移動して異音が発生するという問題が生じる。そのため、コルゲートチューブは、太さの異なる多くの種類が用意され、保護対象である一本の電線の外径又は複数本の電線全体の外径に応じて、特定の種類のコルゲートチューブが選定される。
【０００５】
また、特許文献１に示されたコルゲートチューブは、切れ目の両側の縁部に、相互に掛かり合う引っ掛け爪によって切れ目を塞ぐ状態に保持するロック機構を備える。特許文献１に示されたコルゲートチューブが採用されることにより、ワイヤハーネスの作製においてテーピングの工数が軽減されるという効果が得られる。
【先行技術文献】
【特許文献】
【０００６】
【特許文献１】特開２０００−２８７３３０号公報
【発明の概要】
【発明が解決しようとする課題】
【０００７】
しかしながら、電線挿入用の切れ目が形成された従来のコルゲートチューブは、電線の挿入のために、治具を用いてコルゲートチューブを切れ目の両側へ拡げる煩雑な作業を要するという問題点を有している。
【０００８】
また、従来のコルゲートチューブは、保護対象である電線又は電線束の外径に応じて、非情に多くの種類が用意される必要があるという問題点も有している。
【０００９】
また、電線束から一部の電線のみを分岐させたい場合、又は電線の全周方向を覆いたい部分と電線の全周方向における一部の方向のみを覆いたい部分とが併存する場合などにおいて、電線の保護対象範囲における一部分のみを露出させたい場合がある。そのような場合に、従来のコルゲートチューブは、露出させたい部分を切り欠くなどの煩雑な加工が必要となるという問題点を有している。
【００１０】
本発明は、コルゲートチューブと同様に柔軟性があり、電線の挿入のために、治具を用いてコルゲートチューブを切れ目の両側へ拡げる煩雑な作業を不要とし、保護対象である電線又は電線束の外径に応じて用意されるべき種類を少なくでき、さらに、電線の保護対象範囲における一部分のみを露出させたい場合に切り欠き加工などの煩雑な加工を必要としない電線保護具及びそのような電線保護具を備えたワイヤハーネスを提供することを目的とする。
【課題を解決するための手段】
【００１１】
本発明に係る電線保護具は、電線の周囲を覆う筒を形成する電線保護具であり、以下の各構成要素を備える。
（１）第１の構成要素は、蛇腹構造を有することによって長手方向における柔軟性を有し、内側に電線が挿入される溝を形成する半筒状の部材であり、両側方の縁部に、内側へ開口し長手方向に沿った溝が形成された部分であるフレーム部、及び外側へ張り出し長手方向に沿った板状に形成されフレーム部の溝に嵌め入れられる部分であるフランジ部のうちの一方が形成された第一カバー部材である。
（２）第２の構成要素は、第一カバー部材と組み合わされることにより電線の周囲を覆う筒を形成する部材であり、両側方の縁部に、フレーム部及びフランジ部のうちの他方が形成された第二カバー部材である。
【００１２】
また、本発明に係る電線保護具が、１つの第一カバー部材と、第一カバー部材に対してその長手方向における一部を除く部分に組み合わされる、第一カバー部材よりも短い１つ又は複数の第二カバー部材と、を備えることも考えられる。
【００１３】
また、本発明に係る電線保護具において、第二カバー部材が、蛇腹構造を有することによって長手方向における柔軟性を有し、内側に電線が挿入される溝を形成する半筒状の部材であることが考えられる。
【００１４】
一方、本発明に係る電線保護具において、第二カバー部材が、第一カバー部材が形成する溝を塞ぐ板状の基部と、その基部の両側方の縁部に連なるフレーム部又はフランジ部と、が形成された部材であることも考えられる。
【００１５】
また、第二カバー部材の基部は、長手方向において第一カバー部材に対向する内側面又はその反対の外側面の側へ曲がった板状に形成されていることが考えられる。
【００１６】
また、本発明に係る電線保護具が、第二カバー部材の基部における第一カバー部材に対向しない外側面に固定され、所定の支持部に取り付けられる取付具をさらに備えることが考えられる。
【００１７】
また、本発明は、電線と、以上に示した本発明に係る電線保護具とを備えたワイヤハーネスの発明として捉えられてもよい。
【発明の効果】
【００１８】
本発明に係る電線保護具において、第一カバー部材は、蛇腹構造を有する半筒状の部材である。そのため、本発明に係る電線保護具が、１つの第一カバー部材と、その一部を除く部分に組み合わされる短い第二カバー部材とを備える場合、本発明に係る電線保護具は、第二カバー部材が設けられない部分において柔軟性を有する。また、その場合、電線の保護対象範囲における一部分のみが露出する状態となるが、そのような状態を実現するにあたり、第二カバー部材に対する切り欠き加工などの煩雑な加工は不要である。
【００１９】
また、第二カバー部材が、第一カバー部材と同様の蛇腹構造を有する場合も、本発明に係る電線保護具は、コルゲートチューブと同様に柔軟性を有することになる。
【００２０】
また、本発明に係る電線保護具は、電線の両側から組み合わされる第一カバー部材及び第二カバー部材を備えるため、従来のコルゲートチューブのように、治具を用いて切れ目のある筒状部材を拡げるという煩雑な作業を必要とせずに、電線に対して装着される。即ち、第一カバー部材及び第二カバー部材のうちの一方のフランジ部を他方のフレーム部の溝に嵌め入れるだけで、第一カバー部材及び第二カバー部材は筒状に保持される。
【００２１】
さらに、本発明に係る電線保護具は、第一カバー部材が形成する溝の大きさと第二カバー部材の内側面の形状との組合せにより、筒の内側の空間の大きさが定まる。即ち、組合せ可能なＮ種類の第一カバー部材とＭ種類の第二カバー部材とが用意されること、即ち、（Ｎ＋Ｍ）種類の部材が用意されることにより、（Ｎ×Ｍ）通りの太さの電線保護具が用意されることになる。そのため、本発明に係る電線保護具は、従来のコルゲートチューブに比べ、保護対象である電線又は電線束の外径のとり得る範囲が広いほど、用意されるべき部材の種類を少なくできる。
【００２２】
また、第二カバー部材が、第一カバー部材における電線が挿入される溝を塞ぐ板状の基部と、フレーム部又はフランジ部と、が形成された部材である場合、第二カバー部材は、蛇腹構造を有する部材とは異なり、撓みの小さな或いはほとんど撓まない部材となる。本発明に係る電線保護具において、そのような第二カバー部材は、柔軟性を有する第一カバー部材及び電線を予め定められた経路に沿って保持することができる。
【００２３】
例えば、第二カバー部材の基部が、長手方向において第一カバー部材に対向する内側面又はその反対の外側面の側へ曲がった板状に形成されていれば、第一カバー部材及び電線は、第二カバー部材の第一部分が形成する曲がった経路に沿って保持される。その結果、電線を予め定められた経路に沿って保持するための別個の部材及びその部材をワイヤハーネスに取り付ける工程が不要となる。
【００２４】
また、本発明に係る電線保護具が、第二カバー部材の基部に固定された取付具をさらに備えることにより、電線に取り付けられた電線保護具を、予め定められた配線経路の近傍に設けられた支持部に取り付ける作業が容易となる。
【図面の簡単な説明】
【００２５】
【図１】本発明の第１実施形態に係るワイヤハーネス１の分解斜視図である。
【図２】ワイヤハーネス１の側面図である。
【図３】ワイヤハーネス１が備える電線保護具１０の正断面図である。
【図４】ワイヤハーネス１の正断面図である。
【図５】本発明の第２実施形態に係るワイヤハーネス１Ａの側面図である。
【図６】本発明の第３実施形態に係るワイヤハーネス２が備える第二カバー部材の斜視図である。
【図７】ワイヤハーネス２の正断面図である。
【図８】本発明の第４実施形態に係るワイヤハーネス２Ａの斜視図である。
【図９】本発明の第５実施形態に係るワイヤハーネス２Ｂが備える第二カバー部材の斜視図である。
【図１０】ワイヤハーネス２Ｂの斜視図である。
【図１１】ワイヤハーネス２に適用可能な第二カバー部材の変形例を示す斜視図である。
【発明を実施するための形態】
【００２６】
以下、添付の図面を参照しながら、本発明の実施形態について説明する。以下の実施形態は、本発明を具体化した一例であり、本発明の技術的範囲を限定する事例ではない。本発明の実施形態に係るワイヤハーネスは、例えば、自動車などの車両に搭載され、バッテリ又はインバータ回路などの電力供給源と電装機器との間、又は複数の電装機器相互間を接続する。
【００２７】
＜第１実施形態＞
まず、図１から図４を参照しつつ、本発明の第１実施形態に係るワイヤハーネス１について説明する。図１から図４に示されるように、ワイヤハーネス１は、１本又は複数本の電線９と、電線保護具１０とを備える。また、電線保護具１０は、電線９の両側から組み合わされることによって電線９の周囲を覆う筒を形成する２つの部材を備える。以下、２つの部材の一方を第一カバー部材１１と称し、他方を第二カバー部材１２と称する。なお、図１及び図４において、電線９は仮想線（二点鎖線）により示されている。
【００２８】
＜電線＞
電線９は、導線が絶縁被覆によって覆われたケーブルであり、例えば、丸ケーブル又はフラットケーブルなどである。また、電線９の端部には、通常、不図示のコネクタが設けられている。電線９は、その周囲に電線保護具１０が取り付けられることにより、周囲に存在する物体との接触による破損が防がれる。また、電線９と電線保護具１０との間には、電線９の周囲を覆う編組線などのシールド部材が設けられることもある。
【００２９】
＜電線保護具＞
電線保護具１０は、電線９の周囲を覆う筒を形成する用具であり、第一カバー部材１１及び第二カバー部材１２を備えている。第一カバー部材１１及び第二カバー部材１２は、電線９の両側から組み合わされることにより、電線９の周囲を覆う筒を形成する。電線保護具１０を構成する第一カバー部材１１及び第二カバー部材１２各々は、例えば、ポリアミド（ＰＡ）、ポリプロピレン（ＰＰ）、ポリブチレンテレフタレート（ＰＢＴ）又はＡＢＳ樹脂などの樹脂からなる一体成形部材である。
【００３０】
＜電線保護具：第一カバー部材＞
第一カバー部材１１は、その長手方向に沿って表面に出っ張り部１３とへこみ部１４とが交互に連続して形成された蛇腹構造を有している。この蛇腹構造により、第一カバー部材１１は、その長手方向において湾曲しやすい柔軟性を有している。
【００３１】
なお、各図において、出っ張り部１３は、第一カバー部材１１における外側の周面において相対的に出っ張った部分を示しているが、外側の出っ張り部１３の裏側に位置する内側の面は、相対的にへこんで形成されている。同様に、外側のへこみ部１４は、第一カバー部材１１における外側の周面において相対的にへこんだ部分を示しているが、外側のへこみ部１４の裏側に位置する内側の面は、相対的に出っ張って形成されている。
【００３２】
第一カバー部材１１は、内側に電線９が挿入される溝を形成する半筒状の部材である。本実施形態において、第一カバー部材１１は、蛇腹式の周面が形成された半円筒状の部材である。しかしながら、第一カバー部材１１は、蛇腹式の周面が形成され、内側に電線９が挿入される溝を形成する半筒状の部材であれば、他の形状の部材であってもよい。例えば、第一カバー部材１１は、蛇腹式の周面が形成された半楕円筒状又は半角柱状の部材であることも考えられる。
【００３３】
また、第一カバー部材１１における両側方の縁部に、長手方向に沿った溝１５１が形成された部分であるフレーム部１５が形成されている。このフレーム部１５の溝１５１は内側へ開口し、溝１５１の長手方向における両端は開放端である。このフレーム部１５の溝１５１は、第二カバー部材１２の縁部に形成されたフランジ部１６が嵌め入れられる溝である。フランジ部１６に関する詳細な説明は後に記載されている。
【００３４】
なお、図３及び図４は、電線保護具１０の長手方向に直交する平面での電線保護具１０及びワイヤハーネス１各々の平断面図である。
【００３５】
図１及び図２に示される例では、フレーム部１５は、第一カバー部材１１における両側方の縁部の長手方向全範囲に渡って一連に形成されている。しかしながら、第一カバー部材１１における両側方の縁部に、それぞれ長手方向に伸びて形成された複数のフレーム部１５が間隔を空けて形成された構成が採用されることも考えられる。複数のフレーム部１５が間隔を空けて形成されることにより、第一カバー部材１１は、フレーム部１５が存在しない部分においてより湾曲しやすい柔軟性を有することになる。
【００３６】
＜電線保護具：第二カバー部材＞
第二カバー部材１２は、第一カバー部材１１と同様に、その長手方向に沿って表面に出っ張り部１３とへこみ部１４とが交互に連続して形成された蛇腹構造を有している。この蛇腹構造により、第二カバー部材１２は、その長手方向において湾曲しやすい柔軟性を有している。
【００３７】
第二カバー部材１２は、内側に電線９が挿入される溝を形成する半筒状の部材である。本実施形態において、第二カバー部材１２は、蛇腹式の周面が形成された半円筒状の部材である。しかしながら、第二カバー部材１２は、蛇腹式の周面が形成され、内側に電線９が挿入される溝を形成する半筒状の部材であれば、他の形状の部材であってもよい。例えば、第二カバー部材１２は、蛇腹式の周面が形成された半楕円筒状又は半四角な筒状の部材であることも考えられる。
【００３８】
また、第二カバー部材１２における両側方の縁部に、筒の外側へ張り出した板状の部分であるフランジ部１６が形成されている。また、フランジ部１６は、第二カバー部材１２の長手方向に沿って伸びた板状に形成されている。このフランジ部１６は、第一カバー部材１１の縁部に形成されたフレーム部１５の溝１５１に嵌め入れられる部分である。
【００３９】
図１及び図２に示される例では、フランジ部１６は、第二カバー部材１２における両側方の縁部の長手方向全範囲に渡って一連に形成されている。しかしながら、第二カバー部材１２における両側方の縁部に、それぞれ長手方向に伸びて形成された複数のフランジ部１６が間隔を空けて形成された構成が採用されることも考えられる。複数のフランジ部１６が間隔を空けて形成されることにより、第二カバー部材１２は、フランジ部１６が存在しない部分においてより湾曲しやすい柔軟性を有することになる。
【００４０】
図２及び図４に示されるように、第一カバー部材１１及び第二カバー部材１２は、電線９の両側から組み合わされ、フランジ部１６がフレーム部１５の溝１５１に嵌め入れられる。例えば、フランジ部１６は、その長手方向における一方の端部が、フレーム部１５の溝１５１における一方の開放端に挿入された後、溝１５１内で長手方向にスライドされることによって溝１５１に嵌め入れられる。また、第二カバー部材１２における一方の側方のフランジ部１６全体が、第一カバー部材１１における一方の側方のフレーム部１５に挿入された後、第一カバー部材１１が幅方向に拡げられつつ、他方の側方のフランジ部１６全体が、他方の側方のフレーム部１５に挿入されることも考えられる。
【００４１】
電線保護具１０を構成する第一カバー部材１１及び第二カバー部材１２は、フレーム部１５の溝１５１とフランジ部１６との嵌め入れ機構によって筒状に保持される。また、電線保護具１０において、第一カバー部材１１及び第二カバー部材１２は、同等の長さで形成されている。そのため、それらが組み合わせにより構成される電線保護具１０は、その長手方向全体に渡って、電線９の周囲を囲う筒状に形成される。なお、電線保護具１０において、第一カバー部材１１及び第二カバー部材１２の一方が他方よりも短く形成されていることも考えられる。
【００４２】
＜効果＞
電線保護具１０において、第一カバー部材１１及び第二カバー部材１２は、蛇腹構造を有する半筒状の部材である。従って、それらの組合せにより構成される電線保護具１０は、従来のコルゲートチューブと同様に、長手方向において柔軟性を有する。
【００４３】
また、電線保護具１０は、電線９の両側から組み合わされる第一カバー部材１１及び第二カバー部材１２を備えるため、従来のコルゲートチューブのように、治具を用いて切れ目のある筒状部材を拡げるという煩雑な作業を必要とせずに、電線９に対して装着される。従って、電線保護具１０を電線９に装着する作業は、従来のコルゲートチューブを電線９に装着する作業よりも容易である。
【００４４】
また、電線保護具１０は、第一カバー部材１１が形成する溝の大きさと第二カバー部材１２の内側面の形状との組合せにより、筒の内側の空間の大きさが定まる。即ち、組合せ可能なＮ種類の第一カバー部材１１とＭ種類の第二カバー部材１２とが用意されること、即ち、（Ｎ＋Ｍ）種類の部材が用意されることにより、（Ｎ×Ｍ）通りの太さの電線保護具１０が用意されることになる。そのため、電線保護具１０は、従来のコルゲートチューブに比べ、保護対象である１本又は複数の電線９の外径のとり得る範囲が広いほど、用意されるべき部材の種類を少なくできる。
【００４５】
＜第２実施形態＞
次に、図５を参照しつつ、本発明の第２実施形態に係るワイヤハーネス１Ａ及びそのワイヤハーネス１Ａが備える電線保護具１０について説明する。ワイヤハーネス１Ａは、ワイヤハーネス１と比較して、第一カバー部材１１及び第二カバー部材１２の長さ及びそれらの組合せ方のみが異なる。図５において、図１から図４に示される構成要素と同じ構成要素は、同じ参照符号が付されている。以下、ワイヤハーネス１Ａにおけるワイヤハーネス１と異なる部分についてのみ説明する。
【００４６】
図５に示されるように、ワイヤハーネス１Ａが備える電線保護具１０は、１つの第一カバー部材１１と、その１つの第一カバー部材１１に対して組み合わされる複数の第二カバー部材１２とを備える。複数の第二カバー部材１２各々は、その長手方向の長さが第一カバー部材１１の長さよりも短く形成されている。
【００４７】
また、複数の第二カバー部材１２は、１つの第一カバー部材１１に対し、その第一カバー部材１１の長手方向において間隔を空けて組み合わされる。即ち、第二カバー部材１２は、１つの第一カバー部材１１に対してその長手方向における一部を除く部分に組み合わされる。
【００４８】
ワイヤハーネス１Ａにおいて、電線９における第二カバー部材１２が設けられた範囲は、全周方向が電線保護具１０によって覆われている。一方、電線９における第二カバー部材１２が設けられていない範囲は、全周方向における一部の方向において第一カバー部材１１により覆われ、その他の方向において露出した状態となっている。
【００４９】
＜効果＞
ワイヤハーネス１Ａが採用された場合、ワイヤハーネス１が採用された場合と同様の効果が得られる。さらに、ワイヤハーネス１Ａが備える電線保護具１０は、電線９の保護対象範囲における一部分のみを露出させたい場合に有効である。例えば、複数の電線９の束から一部の電線９のみを分岐させたい場合、複数の第二カバー部材１２の隙間の部分から一部の電線９を分岐させることができる。また、そのような状態を実現するにあたり、第二カバー部材１２に対する切り欠き加工などの煩雑な加工は不要である。
【００５０】
＜第３実施形態＞
次に、図６及び図７を参照しつつ、本発明の第３実施形態に係るワイヤハーネス２及びそのワイヤハーネス２が備える電線保護具１０Ａについて説明する。ワイヤハーネス２は、ワイヤハーネス１と比較して、第二カバー部材１２がそれとは形状の異なる第二カバー部材１２Ａに置き換えられた構成を備えている。図６及び図７において、図１から図４に示される構成要素と同じ構成要素は、同じ参照符号が付されている。以下、ワイヤハーネス２におけるワイヤハーネス１と異なる部分についてのみ説明する。
【００５１】
ワイヤハーネス２における電線保護具１０Ａは、第一カバー部材１１と第二カバー部材１２Ａとを備える。図６は、第二カバー部材１２Ａの斜視図である。また、図７は、ワイヤハーネス２の正断面図である。この正断面図は、電線保護具１０Ａの長手方向に直交する平面での断面図である。
【００５２】
第二カバー部材１２Ａは、それ全体が矩形の平板状に形成されている。この第二カバー部材１２Ａの両側方の縁部は、第一カバー部材１１のフレーム部１５の溝１５１に嵌め入れられるフランジ部１６である。また、第二カバー部材１２Ａにおける両側方の縁部を除いた残りの部分は、第一カバー部材１１における電線９が挿入される溝を塞ぐ部分である。以下、その部分のことを基部１２１と称する。
【００５３】
即ち、第二カバー部材１２Ａは、第一カバー部材１１における電線９が挿入される溝を塞ぐ平板状の基部１２１と、その基部１２１の両側方の縁部に連なるフランジ部１６とが形成された部材の一例である。第二カバー部材１２Ａのフランジ部１６も、第二カバー部材１２のフランジ部１６と同様に、外側へ張り出し長手方向に沿った板状に形成された部分である。
【００５４】
第二カバー部材１２Ａは、例えば、ポリアミド（ＰＡ）、ポリプロピレン（ＰＰ）、ポリブチレンテレフタレート（ＰＢＴ）又はＡＢＳ樹脂などの樹脂からなる一体成形部材である。また、第二カバー部材１２Ａは、鉄又はアルミニウムなどの金属の部材であることも考えられる。
【００５５】
図７に示されるように、電線保護具１０Ａを構成する第一カバー部材１１及び第二カバー部材１２Ａは、フレーム部１５の溝１５１とフランジ部１６との嵌め入れ機構によって筒状に保持される。なお、図７において、電線９は仮想線（二点鎖線）により示されている。
【００５６】
また、電線保護具１０Ａにおいて、第一カバー部材１１と第二カバー部材１２Ａとが１対１で組み合わされる場合と、１つの第一カバー部材１１に対して複数の第二カバー部材１２Ａが組み合わされる場合とが考えられる。後者の場合、ワイヤハーネス１Ａと同様に、複数の第二カバー部材１２Ａ各々は、その長手方向の長さが第一カバー部材１１の長さよりも短く形成される。また、複数の第二カバー部材１２Ａは、１つの第一カバー部材１１に対し、その第一カバー部材１１の長手方向において間隔を空けて組み合わされる。
【００５７】
＜効果＞
電線保護具１０Ａにおいて、第一カバー部材１１は、蛇腹構造を有する半筒状の部材である。従って、電線保護具１０Ａは、第二カバー部材１２Ａが設けられない部分においては、従来のコルゲートチューブと同様に、長手方向において柔軟性を有する。その他、電線保護具１０Ａが採用されることにより、電線保護具１０が採用される場合と同様の効果が得られる。
【００５８】
一方、第二カバー部材１２Ａは、蛇腹構造を有する第二カバー部材１２とは異なり、撓みの小さな或いはほとんど撓まない部材である。従って、電線保護具１０Ａにおいて、第二カバー部材１２Ａは、柔軟性を有する第一カバー部材１１及び電線９を予め定められた直線経路に沿って保持することができる。
【００５９】
また、図７に示されるように、電線保護具１０Ａは、自動車のボディなどの支持体８における平坦な面に対し、第二カバー部材１２Ａにおける平板状の基部１２１が対向する向きで配置されることにより、支持体８との隙間がほとんど生じない状態で敷設される。その結果、配線のスペース効率が向上するとともに、電線保護具１０Ａが安定した状態で敷設される。
【００６０】
＜第４実施形態＞
次に、図８を参照しつつ、本発明の第４実施形態に係るワイヤハーネス２Ａ及びそのワイヤハーネス２Ａが備える電線保護具１０Ｂについて説明する。電線保護具１０Ｂは、図７に示された電線保護具１０Ａと比較して、クランプ２０が追加された構成を備えている。図８において、図６及び図７に示される構成要素と同じ構成要素は、同じ参照符号が付されている。以下、ワイヤハーネス２Ａにおけるワイヤハーネス２と異なる部分についてのみ説明する。図８は、電線保護具１０Ｂを備えるワイヤハーネス２Ａの斜視図である。なお、図８において、電線９は仮想線（二点鎖線）により示されている。
【００６１】
ワイヤハーネス２Ａにおける電線保護具１０Ｂは、電線保護具１０Ａと同様に第一カバー部材１１と第二カバー部材１２Ａとを備える。但し、電線保護具１０Ｂにおいて、第二カバー部材１２Ａの基部１２１における第一カバー部材１１に対向しない側の外側面に、クランプ２０が固定されている。
【００６２】
クランプ２０は、支持体８の取付孔に挿入されることにより、その取付孔の縁部に固定される取付具の一例である。支持体は、例えば、自動車のボディ又はインストルメントパネル内のリンホースなどである。第二カバー部材１２Ａ及びクランプ２０は、例えば、ポリアミド（ＰＡ）、ポリプロピレン（ＰＰ）、ポリブチレンテレフタレート（ＰＢＴ）又はＡＢＳ樹脂などの樹脂からなる一体成形部材である。
【００６３】
電線保護具１０Ｂ及びそれを備えたワイヤハーネス２Ａが採用された場合、図７に示される電線保護具１０Ａ及びそれを備えたワイヤハーネス２が採用された場合と同様の効果が得られる。さらに、電線保護具１０Ｂが、第二カバー部材１２Ａの基部１２１に固定されたクランプ２０を備えるため、電線９に取り付けられた電線保護具１０Ｂを、予め定められた配線経路の近傍に設けられた支持部、即ち、支持体８における取付孔の縁部に取り付ける作業が容易となる。
【００６４】
なお、電線保護具１０Ｂにおいて、第二カバー部材１２Ａの基部１２１に固定される取付具として、クランプ２０の他、所定の支持部に形成された突起部又は孔に対して嵌め合わせの機構を構成するブラケットなど、他の取付具が採用されることも考えられる。
【００６５】
＜第５実施形態＞
次に、図９及び図１０を参照しつつ、本発明の第５実施形態に係るワイヤハーネス２Ｂ及びそのワイヤハーネス２Ｂが備える電線保護具１０Ｃについて説明する。電線保護具１０Ｃは、図７に示された電線保護具１０Ａと比較して、第二カバー部材１２Ａが他の形状の第二カバー部材１２Ｂに置き換えられた構成を備えている。図９及び図１０において、図６及び図７に示される構成要素と同じ構成要素は、同じ参照符号が付されている。以下、ワイヤハーネス２Ｂにおけるワイヤハーネス２と異なる部分についてのみ説明する。
【００６６】
ワイヤハーネス２Ａにおける電線保護具１０Ｃは、第一カバー部材１１と第二カバー部材１２Ｃとを備える。図９は、第二カバー部材１２Ｂの斜視図である。また、図１０は、電線保護具１０Ｃを備えるワイヤハーネス２Ｂの斜視図である。なお、図１０において、電線９は仮想線（二点鎖線）により示されている。
【００６７】
図９に示されるように、第二カバー部材１２Ｂは、曲がった板状に形成されている。この第二カバー部材１２Ｂの両側方の縁部は、第一カバー部材１１のフレーム部１５の溝１５１に嵌め入れられるフランジ部１６である。また、第二カバー部材１２Ｂにおける両側方の縁部を除いた残りの部分は、第一カバー部材１１における電線９が挿入される溝を塞ぐ基部１２１である。
【００６８】
基部１２１を含む第二カバー部材１２Ｂは、長手方向において第一カバー部材１１に対向する側に対して反対側へ、即ち、外側面の側へ曲がった板状に形成されている。図９に示される例では、第二カバー部材１２Ｂは、その長手方向における１箇所に湾曲部１７が形成されており、湾曲部１７の前後の部分は平板状に形成されている。図９に示される例の他、第二カバー部材１２Ｂ全体が湾曲した板状であることも考えられる。なお、電線保護具１０Ｃにおける第二カバー部材１２Ｂも、電線保護具１０Ａにおける第二カバー部材１２Ａと同様の材料で構成される部材である。
【００６９】
図１０に示されるように、第一カバー部材１１及び第二カバー部材１２Ｂは、第一カバー部材１１の両側方のフレーム部１５の溝１５１に、第二カバー部材１２Ｂにおける両側方のフランジ部１６が嵌め入れられることにより、筒状に保持される。
【００７０】
また、電線保護具１０Ｃにおいて、第一カバー部材１１と第二カバー部材１２Ｂとが１対１で組み合わされる場合と、１つの第一カバー部材１１に対して複数の第二カバー部材１２Ｂが組み合わされる場合とが考えられる。図１０は前者の場合を例示する図である。後者の場合、ワイヤハーネス１Ａと同様に、複数の第二カバー部材１２Ｂ各々は、その長手方向の長さが第一カバー部材１１の長さよりも短く形成される。また、複数の第二カバー部材１２Ｂは、１つの第一カバー部材１１に対し、その第一カバー部材１１の長手方向において間隔を空けて組み合わされる。
【００７１】
電線保護具１０Ｃ及びそれを備えたワイヤハーネス２Ａが採用された場合、図７に示される電線保護具１０Ａ及びそれを備えたワイヤハーネス２が採用された場合と同様の効果が得られる。但し、第二カバー部材１２Ｂの基部１２１は曲がって形成されているため、第二カバー部材１２Ｂは、柔軟性を有する第一カバー部材１１及び電線９を予め定められた曲線経路に沿って保持することができる。従って、電線保護具１０Ｃは、電線９の配線経路が曲がった経路である場合に採用される。
【００７２】
なお、図１０に示される例では、第二カバー部材１２Ｂは、第一カバー部材１１に対向しない外側面の側へ反った板状に形成されている。しかしながら、第二カバー部材１２Ｂが、第一カバー部材１１に対向する内側面の側へ曲がった板状に形成されることも考えられる。例えば、図９に示される第二カバー部材１２Ｂが、図１０に示される向きに対して裏返された向きで第一カバー部材１１に対して組み合わせられることが考えられる。
【００７３】
＜その他＞
図６及び図７に示された第二カバー部材１２Ａにおいて、基部１２１は平板状であるが、第二カバー部材１２Ａにおける基部１２１は、平坦ではない板状であることも考えられる。
【００７４】
図１１は、図７に示されたワイヤハーネス２に適用可能な第二カバー部材の変形例である第二カバー部材１２Ｃの斜視図である。図１１に示されるように、第二カバー部材１２Ｃは、第一カバー部材１１の溝を塞ぐ基部１２１が、第一カバー部材１１に対向する面において電線９が挿入される溝を形成する半筒状の板であることも考えられる。
【００７５】
また、図５、図７、図８及び図１０に示された電線保護具１０，１０Ａ，１０Ｂ，１０Ｃにおいて、第一カバー部材１１における両側方の縁部にフランジ部１６が形成され、第二カバー部材１２，１２Ａ，１２Ｂにおける両側方の縁部にフレーム部１５が形成された構成が採用されることも考えられる。
【００７６】
なお、以上に示した各実施形態において、第一カバー部材１１と第二カバー部材１２，１２Ａ，１２Ｂ，１２Ｃとは、フレーム部１５とフランジ部１６とにより連結されるが、粘着テープによるテーピングが全く不要というわけではない。例えば、第一カバー部材１１の両端部分においては、第一カバー部材１１を電線９に固定するためのテーピングが必要である。但し、本発明に係るワイヤハーネス１，１Ａ，２，２Ａ，２Ｂは、フレーム部１５及びフランジ部１６からなる連結機構を有するため、従来の切れ目が形成されたコルゲートチューブに比べ、テーピングの工数が軽減される。
【符号の説明】
【００７７】
１，１Ａ、２，２Ａ，２Ｂ  ワイヤハーネス
８  支持体        
９  電線
１０，１０Ａ，１０Ｂ，１０Ｃ  電線保護具
１１  第一カバー部材
１２，１２Ａ，１２Ｂ，１２Ｃ  第二カバー部材
１３  出っ張り部
１４  へこみ部
１５  フレーム部
１６  フランジ部
１７  湾曲部
２０  クランプ
１２１  第二カバー部材の基部
１５１  フレーム部の溝
【図１】
2012085442.tif 000003
【図２】
2012085442.tif 000004
【図３】
2012085442.tif 000005
【図４】
2012085442.tif 000006
【図５】
2012085442.tif 000007
【図６】
2012085442.tif 000008
【図７】
2012085442.tif 000009
【図８】
2012085442.tif 000010
【図９】
2012085442.tif 000011
【図１０】
2012085442.tif 000012
【図１１】
2012085442.tif 000013